(57)【特許請求の範囲】
【請求項１】
崩壊の発生域となり易い山腹上部の谷地形（０次谷）(1)の林分に対して硬鋼線の素線径が２ｍｍ〜４ｍｍで内接円直径が６５ｍｍ〜８０ｍｍ，網目の横が８３ｍｍ〜１０３ｍｍ，縦の網目の縦が１３８ｍｍ〜１８０ｍｍ，メッキ量１１５ｇ／ｍ２となる引っ張り強度の高いネット(5)を同森林の林地において，樹木にまきつけたリング(9)に引っ張り強度の高いネットと同じ材料で製作されたクリップとロックボルト(7)またはＬ型異形鉄筋(8)で地山に密着して設置するネット(5)と接続するか，樹木(4)に巻き付けたリング(9)とワイヤーロープ(10)により地山に設置するネットと接続して設置することで，樹木(4)の土砂流出効果（生物的効果）と引っ張り強度の高いネット（機械的効果）(5)を組み合わせ,樹木(4)の引抜抵抗力を補強することで崩壊の発生を抑制することを可能とした災害に強い森づくりを補強する工法。
【請求項２】
引っ張り強度の高いネット(5)を山腹中腹部(2)に設置することで，樹木(4)の土砂流出効果（生物的効果）と，引っ張り強度の高いネット（機械的効果）(5)を組み合わせることで崩壊土砂の移動域における土砂流下緩衝林の機能を補強することを可能とした請求項１記載の災害に強い森づくりを補強する工法。
【請求項３】
引っ張り強度の高いネット(5)を山腹下流域(3)の土砂堆積域に設置することで，樹木(4)の土砂流出効果（生物的効果）と引っ張り強度の高いネット（機械的効果）(5)を組み合わせることで土石流を抑制するのに不十分な林帯幅を補強して森林の崩壊土砂を捕捉する機能を補強することを可能とした請求項１記載の災害に強い森づくりを補強する工法。
【請求項４】
引っ張り強度の高いネット(5)を隣接する樹木(4)と繋ぐことによって単一の樹木(4)の根系の緊縛力を面的に連続的な効果に補強することを可能とした請求項１記載の災害に強い森づくりを補強する工法。
【請求項５】
引っ張り強度の高いネット(5)について，単位体積重量が１ｋｇ／ｍ２以下であることによって，山腹上部斜面(1)においても容易に運搬可能であることから，樹木(4)の土砂流出効果（生物的効果）と引っ張り強度の高いネット（機械的効果）(5)を組み合わせて樹木(4)の引抜抵抗力を補強することで崩壊の発生を抑制することを可能とした請求項１記載の災害に強い森づくりを補強する工法。
【請求項６】
引っ張り強度の高いネット(5)について，素線の引張強度が１,０００Ｎ／ｍｍ２以上であることによって，樹木(4)の根系の緊縛力を補強して崩壊の発生し難い山腹斜面とし，樹木(4)の土砂流出効果（生物的効果）と引っ張り強度の高いネット（機械的効果）(5)を組み合わせて樹木(4)の引抜抵抗力を補強することで崩壊の発生を抑制することを可能とした請求項１記載の災害に強い森づくりを補強する工法。
【請求項７】
引っ張り強度の高いネット(5)を林地に固定する部材については，林地の土層の緩み具合に応じてロックボルト(7)やＬ型異型鉄筋(8)を利用することで樹木(4)の土砂流出効果（生物的効果）と引っ張り強度の高いネット（機械的効果）(5)を組み合わせて樹木(4)の引抜抵抗力を補強することで崩壊の発生を抑制することを可能とした請求項１記載の災害に強い森づくりを補強する工法。
【発明の詳細な説明】
【技術分野】
【０００１】
本発明は，森林の持つ根系の緊縛力による土砂流出防止機能では抑制できない土砂災害の発生に対して，引っ張り強度の高いネットを同森林の林地に設置することで樹木の土砂流出効果（生物的効果）と引っ張り強度の高いネットの(機械的効果)を組み合わせ，森林に土砂防止機能を軽減させる効果を最大限に発揮させる工法である。
【背景技術】
【０００２】
森林内における斜面の土砂流出機能を抑制する手法には，植生導入の為の基盤の整備工である山腹基礎工（のり切工，土留工，排水工）や植物を導入する工法である植生工（播種工，植栽工，植生誘導工），導入した植物を目標として群落に導く為の管理である植生管理工（育成（保育）管理，維持管理，保護管理）等があるが，森林内にある針葉樹などの造林地における樹木の根系の緊縛力を補強できない。
【０００３】
山腹基礎工は，急傾斜地での施工となることから工事費がかかり大面積での実施が難しく，植生工は造林した樹種とは別の種類の植物を導入して斜面の表層の崩壊を抑制するものであり，植生管理工についても間伐等の森林施業によって光環境を改善することで根系の広域な拡大を期待できるが，伐採した樹木まで周辺木の根が伸長するまでの期間に根系に隙間ができることから災害に弱い状態となることが問題となっている。
【先行技術文献】
【特許文献】
【０００４】
【特許文献１】特開２０１６−３７７７３号公報
【０００５】
上記特許文献１の発明にあっては，複数の三角波状ワイヤーに直線状が挿通された金網であり，従来の金網よりも強度が高く，サイズの小さい衝突物や棒状の衝突物に対する防護機能にも優れており，例えば台風や竜巻等におり，飛来するあらゆる衝突物から建物や人等を防護することを可能にしたものである。
【０００６】
一方で本発明においては，森林の持つ根系の緊縛力による土砂流出防止機能では抑制できない土砂災害の発生に対して，引っ張り強度の高いネットを同森林の林地に設置することで樹木の土砂流出効果（生物的効果）と引っ張り強度の高いネットの(機械的効果)を組み合わせ，森林に土砂防止機能を軽減させる効果を最大限に発揮させることを可能としたものであることから新規性があり，特許文献１と異なっている。
【発明の概要】
【発明が解決しようとする課題】
【０００７】
そこで，本発明では，森林の持つ根系の緊縛力による土砂流出防止機能では抑制できない山腹の上部斜面（０次谷）に発生する崩壊や間伐後で根系の伸長が不十分な状態であることから災害が発生し易い森林，また森林の下流域で林帯幅が十分に形成されていない森林に対して，引っ張り強度の高いネットを同森林の林地に設置することで樹木の土砂流出効果（生物的効果）と引っ張り強度の高いネット(機械的効果)を組み合わせることで，森林の土砂流出防止機能を軽減させる効果を最大限に発揮させる災害に強い森づくりを補強する工法である。
【課題を解決するための手段】
【０００８】
本発明の第１は，災害に強い森づくりを補強する工法において，崩壊の発生域となり易い山腹上部の谷地形（０次谷）の林分に対して引っ張り強度の高いネットを同森林の林地に設置することで，樹木の土砂流出効果（生物的効果）と引っ張り強度の高いネット(機械的効果)を組み合わせて樹木の引抜抵抗力を補強することで崩壊の発生を抑制することを可能としたものである。
【０００９】
本発明の第２は，第１の発明に係る災害に強い森づくりを補強する工法において，引っ張り強度の高いネットを山腹中腹部に設置することで，樹木の土砂流出効果（生物的効果）と引っ張り強度の高いネット(機械的効果)を組み合わせることで崩壊土砂の移動域における土砂流下緩衝林の機能を補強することを可能としたものである。
【００１０】
本発明の第３は，第１の発明に係る災害に強い森づくりを補強する工法において，引っ張り強度の高いネットを山腹下流域の土砂堆積域に設置することで，樹木の土砂流出効果（生物的効果）と引っ張り強度の高いネット(機械的効果)を組み合わせることで土石流を抑制するのに不十分な林帯幅を補強して森林の崩壊土砂を捕捉する機能を補強することを可能としたものである。
【００１１】
本発明の第４は，第１の発明に係る災害に強い森づくりを補強する工法において，引っ張り強度の高いネットを隣接する樹木と繋ぐことによって単一の樹木の根系の緊縛力を面的に連続的な効果に補強することを可能としたものである。
【００１２】
本発明の第５は，第１の発明に係る災害に強い森づくりを補強する工法において，引っ張り強度の高いネットで現地発生土によって作製した土嚢を積み上げて土留工とすることで樹木間の土砂移動についても抑制することを可能としたものである。
【００１３】
本発明の第６は，第１の発明に係る災害に強い森づくりを補強する工法において，引っ張り強度の高いネットについて，単位体積重量が１ｋｇ/ｍ２以下であることによって，山腹上部斜面においても容易に運搬可能であることから，樹木の土砂流出効果（生物的効果）と引っ張り強度の高いネット(機械的効果)を組み合わせて樹木の引抜抵抗力を補強することで崩壊の発生を抑制することを可能としたものである。
【００１４】
本発明の第７は，第１の発明に係る災害に強い森づくりを補強する工法において，引っ張り強度の高いネットについて，素線の引張強度が１,０００Ｎ/ｍｍ２以上であることによって，樹木の根系の緊縛力を補強して崩壊の発生し難い山腹斜面とし，樹木の土砂流出効果（生物的効果）と引っ張り強度の高いネット(機械的効果)を組み合わせて樹木の引抜抵抗力を補強することで崩壊の発生を抑制することを可能としたものである。
【００１５】
本発明の第８は，第１の発明に係る災害に強い森づくりを補強する工法において，引っ張り強度の高いネットを林地に固定する部材については，林地の土層の緩み具合に応じてアンカーピンやロックボルトを利用することで樹木の土砂流出効果（生物的効果）と引っ張り強度の高いネット(機械的効果)を組み合わせて樹木の引抜抵抗力を補強することで崩壊の発生を抑制することを可能としたものである。
【発明の効果】
【００１６】
本発明は上記の構成であるから，次の効果がある。森林の持つ根系の緊縛力による土砂流出防止機能では抑制できない山腹の上部斜面（０次谷）に発生する崩壊や間伐後で根系の伸長途中となり災害が発生し易い森林，また森林の下流域で林帯幅が十分に形成されていない森林に対して，引っ張り強度の高いネットを同森林の林地に設置することで樹木の土砂流出効果（生物的効果）と引っ張り強度の高いネット(機械的効果)を組み合わせることで，森林の土砂防止機能を軽減させる効果を最大限に発揮させる災害に強い森づくりを補強することに効果がある。
【図面の簡単な説明】
【００１７】
【図１】本発明の施工形態を示す概略説明図であり，山腹の上部斜面（０次谷）と，山腹中央部および山腹下流域という三つに区分される山腹部分の林地に引っ張り強度の高いネットを設置する場合の代表的な施工形態を示している。  ただし，これらの形態は山腹のそれぞれの部分に限定した施工形態ではなく，山腹と造林の状況に応じて，森林の土砂防止機能を軽減させる効果を最大限に発揮させるよう決定する。
【図２】本発明の施工形態を示す概略説明図であり，山腹中央部の縦断面図である。引っ張り強度の高いネットの斜面に沿った長さは，山腹中央部における土砂流下緩衝林の機能を補強する効果が最大限に発揮できるよう，山腹の状況に応じて決定する。
【図３】本発明に係る引っ張り強度の高いネットの一部拡大平面図である。
【発明を実施するための形態】
【００１８】
本発明に係る引っ張り強度の高いネットは，素線径ａが２ｍｍ〜４ｍｍで内接円直径φが６５ｍｍ〜８０ｍｍ，網目の横ｗが８３ｍｍ〜１０３ｍｍ，縦の網目の縦ｈが１３８ｍｍ〜１８０ｍｍ，メッキ量１１５ｇ／ｍ２〜１５０ｇ／ｍ２となるものを利用するものであり，図３に示される。
【００１９】
本発明に係る引っ張り強度の高いネットで覆う土嚢に詰める現地発生土は，火山砕屑物である軽石，スコリア，火山弾や山腹表面にある礫（レキ），砂利，砂，細砂，粘土を利用するものである。
【００２０】
本発明に係る引っ張り強度の高いネットを山腹に固定するアンカーについては，長さ０.５ｍ以上で直径１６ｍｍ以上のＬ型異形鉄筋，または直径１６ｍｍ以上で長さ２ｍ以上のロックボルトを利用するものである。
【実施例１】
【００２１】
次に，本発明の実施例を説明する。
【００２２】
本発明の災害に強い森づくりを補強する工法の実施形態及び符号の説明をする。
図１は，本発明の施工形態を示す概略説明図であり，山腹の上部斜面（０次谷）１，山腹中央部２および山腹下流域３という三つに区分される山腹部分の林地に引っ張り強度の高いネットを設置する場合の代表的な施工形態を示している。ただし，これらの形態は山腹のそれぞれの部分に限定した施工形態ではなく，山腹と造林の状況に応じて，森林の土砂防止機能を軽減させる効果を最大限に発揮させるよう決定する。４は樹木，５は引っ張り強度の高いネットであり，材質は硬鋼線であるため引張強度が高いものになっている。また，亜鉛メッキまたは亜鉛アルミ合金メッキを施しているため，対候性にも優れている。
【００２３】
図１及び図２において，６は現地発生土によって作製した土嚢であり，土砂流出が発生した場合にでも，それを山腹下流域３に流下させないよう積み上げておくものであり（図１及び図２では山腹中央部２），さらに，土嚢６の重量で引っ張り強度の高いネット５を地山に押さえ付け，山腹を安定させる効果を有する。
【００２４】
７はロックボルトであり，引っ張り強度の高いネット５を山腹に固定するためのものである。当該ロックボルト７を山腹の起伏に応じて調節する引っ張り強度の高いネット５の上下端およびその他主要の個所に打ち込むことで，地山に引っ張り強度の高いネット５が密着し，崩壊の発生を抑制する効果を有する。８は直径１６ｍｍ以上のＬ型異形鉄筋であり，Ｌ型を有することで，ハンマー等で地山に打ち込みやすく，引っ張り強度の高いネット５を地山に密着させる役割を果たすものである。
【００２５】
図１において，９は起立する樹木４に巻き付けたリングであり，材質は硬鋼線を可とし，あらかじめ円形に加工された硬鋼線を樹木の直径に応じて現地にて大きさを調整できるリングであり，樹木４の根元に開閉且つ脱着可能に装着するものである。さらに，硬鋼線の巻き数を例えば，３回から１２回の間で変えることにより，強度を変えることができる。１０は引っ張り強度の高いネットと樹木４に巻き付けたリング９を連結するワイヤーロープ，１１は引っ張り強度の高いネット５を連結する接続金具であり，その形状は楕円形に近い多角形のようになっており，硬鋼線を加工して作製されているため，引っ張り強度の高いネット５と同等以上の強度を有する。さらに，立体的に加工されていることで，脱着が容易である。
【００２６】
図２は，山腹の中央部２を示すもので，引張強度の高いネット５の斜面に沿った長さは，山腹の中央部における土砂流下緩衝林の機能を補強する効果が最大限に発揮できるよう，山腹の状況に応じて決定する。
【００２７】
図３は，本発明に係る引っ張り強度の高いネット５の一部を拡大した平面図であり，硬鋼線の素線径ａが２ｍｍ〜４ｍｍで菱形網目の幅ｗが８３ｍｍ〜１０３ｍｍ，菱形網目の縦ｈが１３８ｍｍ〜１８０ｍｍでその菱形網目の内接円直径φが６５ｍｍ〜８０ｍｍ，メッキ量１１５ｇ／ｍ２〜１５０ｇ／ｍ２となるものを利用するものである。
【００２８】
「引っ張り強度の高いネット５の設置方法」
引っ張り強度の高いネット５・５同士の連結と樹木４の連結については，以下により行う。
（１）  引っ張り強度の高いネット５は，標準で幅３.８ｍ，長さ３０.０ｍであるので対象となる森林の規模や樹木４の間隔に合わせてワイヤーカッターにより所定の長さに切断する。
（２）  切断された引っ張り強度の高いネット５は，当該引っ張り強度の高いネットと同じ材料で製作されたクリップで縦方向及び横方向に連結する。
（３）  引っ張り強度の高いネット５と樹木４は,当該樹木４に巻きつけたリング９に引っ張り強度の高いネット５と同じ材料で製作されたクリップでネットと接続する方法と樹木に巻きつけたリング９とワイヤーロープ１０によりネットと接続する方法がある。
【００２９】
[効果確認試験１]
静岡県駿東郡小山町須走の山腹においてスコリアを土嚢６に詰め込み土留として積み上げ，長さ０.７ｍで直径が１６ｍｍのＬ型異形鉄筋で引っ張り強度の高いネット５を斜面に固定（面積Ａ＝約１００ｍ2）することで厳冬期からの凍結・融解による崩壊の発生を抑制できている。なお，ここでいうスコリアとは，軽石状の岩滓をいう。
【００３０】
[効果確認試験２]
静岡県駿東郡小山町須走の山腹において森林の持つ根系の緊縛力による土砂流出防止機能では抑制できないスコリアが厚く堆積した山腹の上部斜面（０次谷）に対して，森林の林内に引っ張り強度の高いネット５を面積でＡ＝約１００ｍ２設置し，長さ０.７ｍで直径が１６ｍｍのＬ型異形鉄筋８で固定することで崩壊発生初期の亀裂の発生を抑制できている。
【産業上の利用可能性】
【００３１】
本発明は，森林の持つ根系の緊縛力による土砂流出防止機能では抑制できない山腹の上部斜面（０次谷）に発生する崩壊や間伐後で根系の伸長途中となり災害が発生し易い森林，また森林の下流域で林帯幅が十分に形成されていない森林に対して，引っ張り強度の高いネットを同森林の林地に設置することで樹木の土砂流出効果（生物的効果）と引っ張り強度の高いネット(機械的効果)を組み合わせることで，森林の土砂防止機能を軽減させる効果を最大限に発揮させる災害に強い森づくりを補強することを可能としたものである。
【符号の説明】
【００３２】
１…山腹の上部斜面（０次谷）
２…山腹中央部
３…山腹下流域
４…樹木
５…引っ張り強度の高いネット
６…現地発生土によって作製した土嚢
７…ロックボルト
８…Ｌ型異形鉄筋    
９…樹木に巻き付けるリング
１０…ワイヤーロープ
１１…引っ張り強度の高いネット同士を連結する接続金具
【図１】
0006865935.tif 000002
【図２】
0006865935.tif 000003
【図３】
0006865935.tif 000004